(57)【要約】【課題】扉や吊り戸の下端面と床とのすき間を塞いで、居室へのすき間風の流入を防ぐことができるすき間閉止具を提供する。【解決手段】扉の下端に取り付けられ、当該扉の下端面と床とのあいだのすき間を塞ぐのに用いられるすき間閉止具。扉の幅とほぼ同じ長さの長尺部材からなり、該長尺部材には、その長手方向に沿って溝が形成されており、該溝の開口縁には膨出部が形成されている閉止具本体と、扉の幅とほぼ同じ長さの帯板状部材からなり、その長辺の一辺に前記膨出部と係合する係合フックを有するシャッター片と、前記閉止具本体の溝内に摺動自在に挿入される操作体と、前記閉止具本体の構内に収容され、前記操作体を当該溝から突出する方向へ付勢する付勢手段と、前記シャッター片の、前記係合フックを中心とする回動運動を制御する回動制御機構と、前記操作体を前記溝から所定の距離だけ突出した状態に保つ突出位置制御機構とを備えている。【選択図】図１
2005290970.tif 000002
【特許請求の範囲】
【請求項１】
扉の下端に取り付けられ、当該扉の下端面と床とのあいだのすき間を塞ぐのに用いられるすき間閉止具であって、
扉の幅とほぼ同じ長さの長尺部材からなり、該長尺部材には、その長手方向に沿って溝が形成されており、該溝の開口縁には膨出部が形成されている閉止具本体と、
扉の幅とほぼ同じ長さの帯板状部材からなり、その長辺の一辺に前記膨出部と係合する係合フックを有するシャッター片と、
前記閉止具本体の溝内に摺動自在に挿入される操作体と、
前記閉止具本体の構内に収容され、前記操作体を当該溝から突出する方向へ付勢する付勢手段と、
前記シャッター片の、前記係合フックを中心とする回動運動を制御する回動制御機構と、
前記操作体を前記溝から所定の距離だけ突出した状態に保つ突出位置制御機構と
を備えていることを特徴とするすき間閉止具。
【請求項２】
吊り戸の下端に取り付けられ、当該吊り戸の下端面と床とのあいだのすき間を塞ぐのに用いられるすき間閉止具であって、
吊り戸の幅とほぼ同じ長さの長尺部材からなり、該長尺部材には、その長手方向に沿って溝が形成されており、該溝の開口縁には膨出部が形成されている閉止具本体と、
吊り戸の幅とほぼ同じ長さの帯板状部材からなり、その長辺の一辺に前記膨出部と係合する係合フックを有するシャッター片と、
前記閉止具本体の溝内に摺動自在に挿入される操作体と、
前記閉止具本体の構内に収容され、前記操作体を当該溝から突出する方向へ付勢する付勢手段と、
前記シャッター片の、前記係合フックを中心とする回動運動を制御する回動制御機構と、
前記操作体を前記溝から所定の距離だけ突出した状態に保つ突出位置制御機構と
を備えていることを特徴とするすき間閉止具。
【請求項３】
前記操作体が板状部材で作製されており、前記回動制御機構が、前記シャッター片の係合フックの外表面に形成された突起と、前記操作体の片面に形成された凹所とからなり、該凹所には前記操作体の表面から当該凹所の底面に至る斜面が形成されており、さらに前記操作体が溝から突出した状態において当該操作体の表面が前記突起と当接し、前記操作体が溝内に押し込まれる状態において前記突起が前記斜面を経由して凹所内に収容されるように、前記突起および凹所が位置決めされてなる請求項１または２記載のすき間閉止具。
【請求項４】
前記突出位置制御機構が、前記操作体の長手方向に沿って形成されたスリットと、該スリットに挿通されるピンとからなる請求項１、２または３記載のすき間閉止具。
【請求項５】
前記操作体の長さが、前記閉止具本体の長さのほぼ半分である請求項１、２、３または４記載のすき間閉止具。
【発明の詳細な説明】
【技術分野】
【０００１】
本発明はすき間閉止具に関する。さらに詳しくは、扉や吊り戸と床面とのあいだのすき間を塞いで、居室内へのすきま風の侵入を防ぐことができるすき間閉止具に関する。
【背景技術】
【０００２】
マンションや一戸建てなどの住宅、および事務所などにおける居室では、室内の汚れた空気を外気と交換してきれいにしたり、または季節によっては室内を乾燥させて結露などを防ぐために換気が行なわれている。
【０００３】
室内を換気する方法としては、定期的に窓などの開口部を開放する自然換気方式と、換気扇や空調機などの機械設備を用いて空気を入れ換える機械換気方式とがある。
【発明の開示】
【発明が解決しようとする課題】
【０００４】
ところで、機械換気方式の場合、単に排気機能だけを備えた設備（たとえば、換気扇）を用いると、室内への空気の流入を確保しないと適切な換気を行なうことができない。
【０００５】
そこで、最近では、室内環境に対する意識の向上と相俟って、扉や吊り戸の下端面と床との隙間を大きく設定することが行なわれている。具体的には、従来では３〜５ｍｍ程度であった隙間を１ｃｍ程度まで広げる設計が行なわれている。
【０００６】
しかしながら、空気の循環という点からは、前記すき間を大きく設定するのが好ましいが、とくに冬場においては、前記すき間から流れ込むすきま風によって、居住者が不快を感じるという問題がある。とくに扉や吊り戸の近くにソファをおいた場合、足元にすきま風があたるためゆっくりとくつろぐことができなかった。
【０００７】
本発明はかかる問題を解消するためになされたものであり、扉や吊り戸の下端面と床とのすき間を塞いで、居室へのすきま風の流入を防ぐことができるすき間閉止具を提供することを目的とする。
【課題を解決するための手段】
【０００８】
本発明のすき間閉止具は、扉の下端に取り付けられ、当該扉の下端面と床とのあいだのすき間を塞ぐのに用いられるすき間閉止具であって、
扉の幅とほぼ同じ長さの長尺部材からなり、該長尺部材には、その長手方向に沿って溝が形成されており、該溝の開口縁には膨出部が形成されている閉止具本体と、
扉の幅とほぼ同じ長さの帯板状部材からなり、その長辺の一辺に前記膨出部と係合する係合フックを有するシャッター片と、
前記閉止具本体の溝内に摺動自在に挿入される操作体と、
前記閉止具本体の構内に収容され、前記操作体を当該溝から突出する方向へ付勢する付勢手段と、
前記シャッター片の、前記係合フックを中心とする回動運動を制御する回動制御機構と、
前記操作体を前記溝から所定の距離だけ突出した状態に保つ突出位置制御機構と
を備えていることを特徴としている。
【０００９】
また、本発明のすき間閉止具は、吊り戸の下端に取り付けられ、当該吊り戸の下端面と床とのあいだのすき間を塞ぐのに用いられるすき間閉止具であって、
吊り戸の幅とほぼ同じ長さの長尺部材からなり、該長尺部材には、その長手方向に沿って溝が形成されており、該溝の開口縁には膨出部が形成されている閉止具本体と、
吊り戸の幅とほぼ同じ長さの帯板状部材からなり、その長辺の一辺に前記膨出部と係合する係合フックを有するシャッター片と、
前記閉止具本体の溝内に摺動自在に挿入される操作体と、
前記閉止具本体の構内に収容され、前記操作体を当該溝から突出する方向へ付勢する付勢手段と、
前記シャッター片の、前記係合フックを中心とする回動運動を制御する回動制御機構と、
前記操作体を前記溝から所定の距離だけ突出した状態に保つ突出位置制御機構と
を備えていることを特徴としている。
【００１０】
前記操作体が板状部材で作製されており、前記回動制御機構が、前記シャッター片の係合フックの外表面に形成された突起と、前記操作体の片面に形成された凹所とからなり、該凹所には前記操作体の表面から当該凹所の底面に至る斜面が形成されており、さらに前記操作体が溝から突出した状態において当該操作体の表面が前記突起と当接し、前記操作体が溝内に押し込まれる状態において前記突起が前記斜面を経由して凹所内に収容されるように、前記突起および凹所が位置決めされてなるのが好ましい。
【００１１】
前記突出位置制御機構が、前記操作体の長手方向に沿って形成されたスリットと、該スリットに挿通されるピンとからなるのが好ましい。
【００１２】
また、前記操作体の長さが、前記閉止具本体の長さのほぼ半分であることが好ましい。
【発明の効果】
【００１３】
本発明のすき間閉止具によれば、扉や吊り戸を閉めた状態において、シャッター片の一辺が床面に接するように当該シャッター片が回動するので、扉や吊り戸と床とのすき間を塞ぐことができ、それにより居室へのすきま風の流入を防ぐことができる。
【発明を実施するための最良の形態】
【００１４】
以下、添付図面に基づいて本発明のすき間閉止具を詳細に説明する。
【００１５】
図１は、本発明のすき間閉止具の一実施の形態の一部破断説明図であり、図１に示されるすき間閉止具Ａは、長尺部材からなる閉止具本体１と、帯板状部材からなるシャッター片１０と、操作体２０と、付勢手段５と、前記シャッター片１０の回動運動を制御する回動制御機構と、前記操作体２０の突出位置を制御する突出位置制御機構とを備えている。前記すき間閉止具Ａは、図５〜６に示されるように、扉Ｄの下端に取り付けられ、当該扉Ｄと床Ｆとのあいだのすき間を塞ぐのに用いられたり、または図示していないが、吊り戸の下端に取り付けられ、当該吊り戸と床とのあいだのすき間を塞ぐのに用いられる。
【００１６】
前記閉止具本体１を構成する長尺部材は、すき間閉止具Ａが取り付けられる扉または吊り戸の幅とほぼ同じ長さを有しており、合成樹脂や、アルミニウムなどの金属などで作製することができる。閉止具本体１には、その長手方向に沿って溝２が形成されており、該溝２の中には、付勢手段５および操作体２０が収容される。また、溝２の開口縁には、断面がほぼ円形の膨出部３が形成されている。本実施の形態では、前記膨出部３は、溝の開口縁から溝の内部に向かって突出するように形成されており、この膨出部３に後述するシャッター片１０の係合フックが係合する。
【００１７】
シャッター片１０も、前記閉止具本体１と同様に扉または吊り戸の幅とほぼ同じ長さを有しており、合成樹脂やゴムなどで作製することができる。図１〜２に示されるように、シャッター片１０の長辺のうちの一辺には前記膨出部３と係合する係合フック１３が形成されている。この係合フック１３は、前記膨出部３の外形（ほぼ円形）に対応して、その断面が、リングの一部分を呈する形状であり、係合フック１３の内側の面が膨出部３と接触するように、係合フック１３と膨出部３の係合が行なわれる。本実施の形態のシャッター片１０は、前記係合フック１３が形成された部分を含む厚肉部１１と、床面と接触する側の薄肉部１２とから構成されている。薄肉部１２の縁には、断面がほぼ円形の膨出部１２ａが形成されている。係合フック１３の部分は、シャッター片１０の複数回（通常、１０〜２０万回程度）の回動運動に耐えて前記係合フック１３のフック部分の形状が保持できるように厚肉にされており、一方、先端側は、シャッター片１０全体の軽量化のため、シャッター片１０が上昇した位置において、当該シャッター片１０が垂れ下がらない程度の形状保持性が得られる程度に薄肉にされている。シャッター片１０が重くなりすぎると、後述するように、付勢手段５の付勢力のみで床面とほぼ平行な状態までシャッター片１０を回動させるのが難しくなるとともに、シャッター片１０が下降して床面に接触したときに大きな音が発生する可能性がある。
【００１８】
前記操作体２０は、前記閉止具本体１の溝２内に摺動自在に挿入され、本実施の形態においては、図１および３に示されるように板状部材で作製されている。操作体２０の長さｄ（図３（ａ）参照）の長さは特定の長さに限定されないが、閉止具本体１の長さをＷとすると（図６参照）、ｄ≧（Ｗ／２）の関係を満たすが、または凹所２３が当接片２１から距離ｄ１だけ離間した位置に形成されているしたとき（図３（ａ）参照）、凹所２３の位置ｄ１が閉止具本体１のほぼ中央（すなわちｄ１≒（Ｗ／２））になるような寸法にすると、シャッター片１０のほぼ中心で支持することができるため、シャッター片１０の荷重を左右均等に分散することができるという利点がある。このため、シャッター片１０が重くなりすぎても、付勢手段５の付勢力のみで床面とほぼ平行な状態までシャッター片１０を回動させることができる。この操作体２０は、合成樹脂やアルミニウムなどの金属で作製することができる。操作体２０の一方の端部（閉止具本体１の溝２に挿入される側と反対側の端部）には当接片２１が形成されている。この当接片２１は、操作体２０の本体部分２０ａと一体に形成してもよいし、該本体部分２０ａとは別体とし、本体部分２０ａに固着するようにしてもよい。この当接片２１は、扉が閉められたとき、または吊り戸が閉められたときに、扉の枠部材３０（図６参照）または柱（図示せず）などに当接して、付勢手段５の付勢力に抗して前記操作体２０を溝２内に押し込む役割を果たしている。
【００１９】
操作体２０には、長手方向に沿ってスリット２２が形成されており、このスリット２２と、閉止具本体１に穿設された孔６から前記スリット２２に挿通されるピン２５とにより、前記操作体２０を閉止具本体１の溝から所定の距離だけ突出した状態に保つ突出位置制御機構が構成される。
【００２０】
すなわち、操作体２０は、付勢手段５によって常時溝２から飛び出る方向に付勢されているが、図４の（ａ）に示されるように、ピン２５がスリット２２の最も奥側（溝２の内部側）の壁に当接するため、操作体２０は、図４の（ａ）において所定の距離Ｌだけ突出した状態に保たれる。この距離Ｌは、スリットとピンの位置を変えることにより、調節することができる。
【００２１】
なお、本実施の形態においては、スリットとピンとにより突出位置制御機構を構成したが、本発明はこれに限定されるものではなく、たとえば、当接片から所定の距離において操作体２０につば部を形成し、溝２（つば部が挿入しうる断面形状の溝）内に操作体２０を挿入したのちに、溝２の入口部分に前記つば部の抜け止めを設けることもできる。この場合、前記つば部と抜け止めが突出位置制御機構を構成する。
【００２２】
前記付勢手段５は閉止具本体１の溝２内に収容され、前記操作体２０を溝２から突出する方向へ付勢しており、本実施の形態では、この付勢手段５としてコイルばねが用いられているが、本発明は、これに限定されるものではなく、他にオイルばねなどを用いることもできる。付勢手段５の一端（溝の奥側の端部）は、閉止具本体１に穿設された孔７内に圧入されたストッパ８に当接している。
【００２３】
本発明のすき間閉止具は、扉が開いている状態では、シャッター片１０が上昇位置にあり、扉を閉めた状態では、シャッター片１０が下降位置にあることを特徴とするものであるが、かかるシャッター片１０の、係合フック１３を中心とする回動運動を制御する回動制御機構として、本実施の形態では、シャッター片１０に設けられた突起１４と操作体２０に形成された凹所２３が採用されている。
【００２４】
すなわち、シャッター片１０の係合フック１３の外表面には突起１４が形成されている（図２参照）。また、操作体２０の片面には、凹所２３が上下２段に形成されている。さらに、この凹所２３には、操作体２０の表面２０ｂから当該凹所２３の底面２３ａに至る斜面２４が形成されている。この斜面２４は、凹所２３の奥側（溝２の内部側）に形成されている。
【００２５】
つぎに、突起１４および凹所２３からなる回動制御機構の作用について図４を参照しつつ説明する。
【００２６】
図４の（ａ）に示されるように、扉が開いた状態では、操作体２０の当接片２１は扉の枠部材３０に当接していないため、操作体２０は付勢手段５の付勢力によって所定の距離Ｌだけ溝２から突出している。この距離Ｌは、前述したように、操作体２０のスリット２２と、該スリット２２に挿通されたピン２５により制御されている。
【００２７】
この状態では、シャッター片１０の突起１４が操作体２０の表面２０ｂと、閉止具本体１の溝の内面２ａとにはさまれており、シャッター片１０が自重により膨出部３を中心にして回動しようとしても、操作体２０の表面２０ｂに邪魔されて回動することができない。
【００２８】
一方、扉を閉じていくと、操作体２０の当接片２１（図６においては、扉のヒンジ側にあるため図示されていない）が扉の枠部材３０に接触し、付勢手段５の付勢力に抗して、操作体２０は溝の奥の方へ押し込まれていき、やがて扉が完全に閉まると、図４の（ｂ）で示される状態になる。
【００２９】
操作体２０が溝２内に押し込まれるのに併行して、シャッター片１０の自重による当該シャッター片１０の回動によって、突起１４が操作体２０の表面２０ｂおよび斜面２４を経由して凹所２３の底面２３ａに当接するまで移動をする。突起１４が底面２３ａに当接するまで回動すると、シャッター片１０の先端は床面に接触する。
【００３０】
図５の（ａ）は図４の（ａ）に示される状態に対応しており、また図５の（ｂ）は図４の（ｂ）に示される状態に対応している。
【００３１】
本発明のすき間閉止具は、閉止具本体１に穿設された孔９（図１参照）を利用して、図６に示されるように扉の下端にネジ、ビスもしくはくぎ、または接着剤などにより取り付けることができる。図１〜６に示される実施の形態では、孔９にネジ４０を螺入することにより、すき間閉止具を扉に取り付けている。
【００３２】
なお、本実施の形態のすき間閉止具Ａは左右対象となるように作製されており、扉の開き勝手（右開きまたは左開き）に対応して、扉に取り付けることができる。そして、これに対応して、前記操作体２０には上下２段の凹所が形成されている。図１に示される状態では、下側の凹所がシャッター片の突起と係合するが、反対側から操作体を挿入する場合は、図１に示される状態において上側の凹所（実際に反対側の溝内に挿入するときには、操作体が上下逆になるので、下側にくる）がシャッター片の突起と係合することになる。
【００３３】
また、予め扉の幅に合わせた長さのすき間閉止具を作製しておくこともできるが、一定の長さのすき間閉止具を作製しておいて、現場で扉の幅に合わせてすき間閉止具を切断するようにしてもよい。
【図面の簡単な説明】
【００３４】
【図１】本発明のすき間閉止具の一実施の形態の一部破断説明図である。
【図２】図１に示されるすき間閉止具におけるシャッター片の説明図である。
【図３】図１に示されるすき間閉止具における操作体であって、（ａ）は平面図、（ｂ）は側面図である。
【図４】本発明のすき間閉止具の操作を説明する図であり、（ａ）は扉を開いた状態における操作具とシャッター片の関係を示し、（ｂ）は扉を閉じた状態における操作具とシャッター片の関係を示す図である。
【図５】本発明のすき間閉止具の動作を説明する図であり、（ａ）は扉を開いた状態における操作具本体とシャッター片の関係を示し、（ｂ）は扉を閉じた状態における操作具本体とシャッター片の関係を示す図である。
【図６】本発明のすき間閉止具の使用状態説明図である。
【符号の説明】
【００３５】
Ａ  すき間閉止具
Ｄ  扉
Ｆ  床
１  閉止具本体
２  溝
５  コイルばね
８  ストッパ
１０  シャッター片
１３  係合フック
１４  突起
２０  操作体
２１  当接片
２３  凹所
２４  斜面
【図１】
2005290970.tif 000003
【図２】
2005290970.tif 000004
【図３】
2005290970.tif 000005
【図４】
2005290970.tif 000006
【図５】
2005290970.tif 000007
【図６】
2005290970.tif 000008